(57)【特許請求の範囲】
【請求項１】
板状部材で本体が形成された簡易間仕切であって、
使用時における前記本体は、４面の側壁を有し上下が開放部である箱体であり、
前記４面の側壁は、板状部材が折り曲げられて形成されており、
前記４面の側壁のうち複数の側壁に開口形成用のミシン目が形成されており、
前記箱体の外周形状が長方形であり、前記長方形の長辺に対応する前記側壁と前記長方形の短辺に対応する前記側壁とに、前記ミシン目が形成されており、
前記簡易間仕切を複数用いた場合に、一方の前記簡易間仕切の長辺に対応する前記側壁の前記ミシン目と、他方の前記簡易間仕切の長辺に対応する前記側壁の前記ミシン目とが重なり合う組み合わせ、一方の前記簡易間仕切の短辺に対応する前記側壁の前記ミシン目と、他方の前記簡易間仕切の短辺に対応する前記側壁の前記ミシン目とが重なり合う組み合わせ及び一方の前記簡易間仕切の短辺に対応する前記側壁の前記ミシン目と、他方の前記簡易間仕切の長辺に対応する前記側壁の前記ミシン目とが重なり合う組み合わせのいずれもが可能であり、
重なり合う２つの前記ミシン目を切り離すことにより、一方の前記簡易間仕切の空間と他方の前記簡易間仕切の空間とをつなぐ開口を形成できるようにしたことを特徴とする簡易間仕切。
【請求項２】
前記本体の下側の開放部に組み込む底板をさらに備えている請求項１に記載の簡易間仕切。
【請求項３】
前記底板はペーパーハニカムで形成されている請求項２に記載の簡易間仕切。
【請求項４】
前記箱体の外周形状が長方形であり、前記長方形の長辺に対応する前記側壁の前記ミシン目の個数を、前記長方形の短辺に対応する前記側壁の前記ミシン目の個数に比べ多くしている請求項１から３のいずれかに記載の簡易間仕切。
【請求項５】
前記箱体の外周形状が長方形であり、前記長方形の長辺の長さは、前記長方形の短辺の長さの約２倍である請求項１から４のいずれかに記載の簡易間仕切。
【請求項６】
あらかじめ前記４面の側壁を一体にしておく請求項１から５のいずれかに記載の簡易間仕切。
【発明の詳細な説明】
【技術分野】
【０００１】
本発明は、空間を仕切って独立した空間を形成する簡易間仕切に関し、特に避難所で使用する簡易間仕切に関する。
【背景技術】
【０００２】
空間を仕切って独立した空間を形成する構造体として、各種簡易間仕切が知られている。簡易間仕切は、例えば災害時の避難所で使用される。簡易間仕切を設置することにより、独立した空間が形成され、プライバシーの確保に役立つ。例えば特許文献１には、段ボールパネル数を効率的に使用して多くの部屋を構築することができ、連結具を着脱するだけで簡単に組み立てられ、また解体することが可能である簡易組み立てハウスが提案されている。
【先行技術文献】
【特許文献】
【０００３】
【特許文献１】実用新案登録第３１３７２５５号公報
【発明の概要】
【発明が解決しようとする課題】
【０００４】
しかしながら、特許文献１の簡易組み立てハウスは、組み立ての際には連結具の装着が必要であった。この構成では連結具の装着自体は簡単であっても、複数個所において連結具を装着する必要があり、組み立ては手間のかかる作業となる。また、特許文献１の簡易組み立てハウスは、複数の部屋を構築することができるが、仕様の定まったパネルで各部屋を構築するので、各部屋の構成は画一的なものとなる。
【０００５】
本発明は、前記のような従来の問題を解決するものであり、簡単に組み立てることができ、かつ設置場所において使用態様を選択できる簡易間仕切を提供することを目的とする。
【課題を解決するための手段】
【０００６】
前記目的を達成するために、本発明の簡易間仕切は、板状部材で本体が形成された簡易間仕切であって、使用時における前記本体は、４面の側壁を有し上下が開放部である箱体であり、前記４面の側壁は、板状部材が折り曲げられて形成されており、前記４面の側壁のうち複数の側壁に開口形成用のミシン目が形成されていることを特徴とする。
【０００７】
前記本発明の簡易間仕切によれば、使用時における箱体の４面の側壁は、板状部材を折り曲げて形成したものである。このため、あらかじめ４面の側壁を一体にしておけば、設置場所においては箱体の組み立てに連結具は必要なく、箱体の組み立てが簡単になる。また、この箱体の構成では、箱体を折り畳むことができるので、設置場所までの運搬時には本体を折り畳み状態とし、設置場所において本体を箱体にすることができる。折り畳んだ本体を箱体に組み立てるには、上下に開放部を形成するように折り畳んだ本体を開くだけでよく、この場合も箱体の組み立ては簡単になる。
【０００８】
また、前記本発明の簡易間仕切においては、開口形成用のミシン目を切り離すことにより、側壁に容易に開口を形成することができる。開口は例えば人が出入りする通用口として使用することができる。簡易間仕切を複数並べて配置する場合は、開口は隣接する簡易間仕切間を行き来する通用口として使用することができる。
【０００９】
開口形成用のミシン目は、複数の側壁に形成されており、複数のミシン目のうち、どのミシン目を切り離すかは任意であり、各ミシン目において切り離しの範囲をどの程度とするかも任意である。ミシン目の切り離しは容易であるので、これらの設定は設置場所において行なうことができ、設置場所において使用態様を選択できる。開口形成用のミシン目は、複数の側壁に形成されていることにより、複数の側壁に開口が形成可能になり、選択できる使用態様を多くすることができる。
【００１０】
前記本発明の簡易間仕切においては、前記本体の下側の開放部に組み込む底板をさらに備えていることが好ましい。この構成によれば、箱体である本体の形状維持効果が得られる。
【００１１】
前記の底板を備えた構成においては、前記底板はペーパーハニカムで形成されていることが好ましい。この構成によれば、底板を軽量で強度が高く断熱性にも優れたものとすることができる。
【００１２】
また、前記本発明の簡易間仕切においては、前記箱体の外周形状が長方形であり、前記長方形の長辺に対応する前記側壁の前記ミシン目の個数を、前記長方形の短辺に対応する前記側壁の前記ミシン目の個数に比べ多くしていることが好ましい。この構成によれば、設置場所において選択できる使用態様をより多くすることができる。
【００１３】
さらに、前記本発明の簡易間仕切においては、前記箱体の外周形状が長方形であり、前記長方形の長辺の長さは、前記長方形の短辺の長さの約２倍であることが好ましい。この構成によれば、短辺の２つ分の長さと長辺の１つ分の長さとがほぼ同じになる。このため、３個の簡易間仕切を並べて配置する場合、２個の簡易間仕切を横長に配置し、１個の簡易間仕切を縦長に配置した場合であっても、３個の簡易間仕切をまとまりよく配置することができる（図６参照）。
【００１４】
この場合、横長に配置した簡易間仕切の短辺側のミシン目と縦長に配置した簡易間仕切の長辺側のミシン目とを重なり合うようにすることができ、横長に配置した簡易間仕切との縦長に配置した簡易間仕切との間を行き来する開口を形成することができる（図６参照）。
【発明の効果】
【００１５】
本発明によれば、使用時における箱体の４面の側壁は、板状部材を折り曲げて形成したものであるので、箱体の組み立てに連結具は必要なく、箱体の組み立てが簡単になる。また、開口形成用のミシン目を切り離すことにより、側壁に容易に開口を形成することができ、開口を例えば人が出入りする通用口として使用できる。複数のミシン目のうち、どのミシン目を切り離すかは任意であり、設置場所において使用態様を選択できる。ミシン目は複数の側壁に形成されているので、選択できる使用態様を多くすることができる。
【図面の簡単な説明】
【００１６】
【図１】（ａ）図は本発明の一実施の形態に係る簡易間仕切の斜視図、（ｂ）図は底板の内部構造を示す破断図。
【図２】本発明の一実施の形態に係る簡易間仕切の本体を折り畳んだ状態を示す斜視図。
【図３】本発明の一実施の形態において、本体に底板を組み込んだ状態を示す断面図。
【図４】本発明の一実施の形態に係る簡易間仕切の使用例を示す斜視図。
【図５】本発明の一実施の形態に係る簡易間仕切を複数用いた使用例を示す斜視図。
【図６】本発明の一実施の形態に係る簡易間仕切を複数用いた別の使用例を示す斜視図。
【発明を実施するための形態】
【００１７】
以下、本発明の一実施の形態について、図面を参照しながら説明する。図１（ａ）は、本発明の一実施の形態に係る簡易間仕切１０の斜視図を示している。簡易間仕切１０は本体１と底板２とを備えている。本体１は板状部材で形成している。板状部材としては、例えば段ボールを用いることができる。板状部材は、後に説明するミシン目５を形成できるものであればよく、段ボールに限るものではなく例えば樹脂製パネルや発泡パネルであってもよい。
【００１８】
本体１は４面の側壁３（３ａ〜３ｄ）を有し上下を開放部とした箱体である。４面の側壁３ａ〜３ｄは、板状部材が折り曲げられて形成されている。図１の例では、本体１は展開状態では平板であり、隣接する側壁３の境界には折り目４を設けている。本体１を組み立てる際には、展開状態の平板を折り目４の部分で折り曲げて、平板の端部同士を接合する。この場合、図示はしていないが端部同士の接合部にラップ部分を設け、このラップ部分を接着材等で接合する。また、側壁３ａ〜３ｄに対応した複数枚の板状部材を用い、板状部材同士の継ぎ目にラップ部分を設け、このラップ部分を接着材等で接合するようにしてもよい。これらの構成では、あらかじめ４面の側壁３ａ〜３ｄを一体にしておくことができるので、設置場所において本体１を箱体に組み立てるのに連結具は必要なく、組み立てが簡単になる。
【００１９】
本体１の下部に底板２を組み込むことにより、簡易間仕切１０の１個分が完成する。簡易間仕切１０の内部には、４面の側壁３ａ〜３ｄで囲まれた空間が形成される。４面の側壁３ａ〜３ｄのそれぞれに、開口形成用のミシン目５が形成されている。ミシン目５を切り離すことにより、側壁３ａ〜３ｄに容易に開口を形成できる。この開口は人が出入りする通用口として用いることができる。また。複数個の簡易間仕切１０を並べて使用することにより、簡易間仕切１０で仕切られる空間を拡大することができる。このため、簡易間仕切１０を用いることにより、簡単に住居空間を作り出せる。したがって、簡易間仕切１０は、臨時の住居空間を作り出すのに適しており、例えば避難所における間仕切として使用できる。
【００２０】
簡易間仕切１０は、本体１の下部に底板２を組み込んだ状態であっても、上側が開放部となる。このため、簡易間仕切１０を避難所等の建物内に設置した場合には、簡易間仕切１０の内部は、建物内の空調効果が得られるとともに、建物内の照明を取り入れることができる。また、使用者の安全確認も容易になる。
【００２１】
本実施の形態では底板２はペーパーハニカムを用いて作成している。図１（ｂ）は、底板２の内部構造を示す破断図である。ペーパーハニカムは、多数のセル６を隙間なく蜂の巣状に並べて配置して構成されている。ペーパーハニカムは、軽量でありながら強度が高く断熱性も優れている。このため底板２を軽量にすることができ、底板２の本体１への組み込み作業が容易になる。また、底板２の強度を高くできるので、底板２を本体１へ組み込むと、本体１の形状維持効果が高くなる。さらに、底板２の断熱性を高くできるので、設置場所の冷えた床面によって使用者が冷やされることを緩和することができる。
【００２２】
図２は、本体１を折り畳んだ状態を示す斜視図である。前記の通り、図１（ａ）に示した箱体の本体１は、板状部材を折り曲げて形成される。このため、図１（ａ）に示した本体１は、図２に示したように、平板状に折り畳むことができ、運搬が容易になる。また、本体１は側壁３ａ〜３ｄが一体になっているので、折り畳んだ本体１を図１（ａ）に示した箱体にすることも容易である。したがって、設置場所までの運搬時には図２の折り畳み状態とし、設置場所において本体１を図１（ａ）に示した箱体にすればよい。
【００２３】
図３は、本体１に底板２を組み込んだ状態を示す断面図である。本図は、図１（ａ）において、本体１に底板２を組み込んだときのＡＡ線における断面図に相当する。側壁３ａ及び側壁３ｂの下側の端部に底板２が組み込まれている。底板２の端部２ａは側壁３ａの内周面に当接し、底板２の端部２ｂは側壁３ｂの内周面に当接している。図示はしていないが、同様に図１（ａ）の底板２の端部２ｃ、端部２ｄは、それぞれ側壁３ｃ、側壁３ｄの内周面に当接している。すなわち、本体１に底板２を組み込んだ状態では、底板２は全周に亘り側壁３の内周面に当接している。このことにより、側壁３ａ〜３ｄの位置移動が底板２により規制され、箱体である本体１の形状維持効果が得られる。
【００２４】
図３では、本体１に底板２を組み込んだ例を示したが、構成をより簡素化するために、簡易間仕切１０は底板２を省いた構成であってもよい。また、底板２の素材はペーパーハニカムに限るものではなく、各種素材を用いて作成すればよい。
【００２５】
図４は、簡易間仕切１０の使用例を示す斜視図である。図１（ａ）における側壁３ｄのミシン目５は、１辺を残して他の部分は切り離している。このことにより、図４に示した開口１１が形成されるとともに、側壁３ｄと一体の扉１２が形成される。この開口１１は、人が出入りする通用口として使用することができ、開口１１は扉１２により開閉可能になる。
【００２６】
図１（ａ）に示したように、側壁３ｂには開口形成用のミシン目５が２個所形成されている。図４では、２個所のミシン目５のうち、一方のミシン目５は切り離さずそのままとしている。他方のミシン目５は完全に切り離して、切り離し片１３を取り除き、開口１４を形成している。開口１４は、通用口とすることができ、建物内の照明や外気の取り入れ口とすることもできる。また、後に説明するように、簡易間仕切１０を複数用いる場合には、開口１４は、隣接する部屋間を行き来する通用口とすることもできる。
【００２７】
複数のミシン目５のうち、どのミシン目５を切り離すかは任意である。図１（ａ）の本体１では、すべてのミシン目５を切り離すことにより、最大６個の開口を形成することができる。また、各ミシン目５において、切り離しの範囲をどの程度とするかは任意である。図４の開口１１のように部分的に切り離して開閉扉１２を形成してもよく、開口１４のように全範囲を切り離してもよい。切り離すミシン目５の数、切り離す際のミシン目５の切り離しの範囲は、使用目的、使用環境に応じて決定すればよい。
【００２８】
図５は、簡易間仕切１０を複数用いた使用例を示す斜視図である。本図の例では、２個の簡易間仕切１０ａ及び１０ｂを並べて配置している。本体１ａには開口１５を形成し、本体１ａ及び本体１ｂには開口１６を形成している。開口１５及び開口１６の形成前は、本体１ａと本体１ｂとは同一仕様である。また、本体１ａ及び本体１ｂは図１（ａ）に示した本体１と同一仕様である。
【００２９】
本体１ａ及び本体１ｂの外周形状は長方形であり、両者の外形寸法は同一である。本体１ａ及び１ｂにおいて、外周を形成する長方形の長辺の長さをＬ、短辺の長さをＷとする。図５の例では、幅Ｗの方向に延びるように簡易間仕切１０ａ及び簡易間仕切１０ｂを並べて配置している。
【００３０】
図５の配置では、本体１ａの側壁３ａと本体１ｂの側壁３ｂとが重なり合っている。本体１ａ及び本体１ｂは同一仕様であり、ミシン目５の位置及び大きさは同じである。このため、本体１ａの側壁３ａのミシン目５と、本体１ｂの側壁３ｂのミシン目５とが重なり合うことになる。したがって、重なり合う２つのミシン目５を切り離すことにより、開口１６のように簡易間仕切１０ａの空間と簡易間仕切１０ｂの空間とをつなぐ開口を形成できることになる。
【００３１】
すなわち、開口１６を形成したことにより、簡易間仕切１０ａ内の空間と簡易間仕切１０ｂ内の空間との間を行き来することが可能になり、使用空間の拡大を図ることができる。一方、開口１５は、簡易間仕切１０ｂへの出入りのための通用口として使用することができる。
【００３２】
図５は、簡易間仕切１０ａ及び簡易間仕切１０ｂの２個の簡易間仕切１０を並べて配置した例であるが、２点鎖線２０で示した方向に簡易間仕切１０を追加し、簡易間仕切１０を３個以上としてもよい。また、簡易間仕切１０の配置方向は、幅Ｗの方向に限らず、長さＬの方向でもよい。例えば、２点鎖線２１で示した方向に、簡易間仕切１０を配置し、簡易間仕切１０が長さＬの方向に延びるように配置してもよい。この場合においても、簡易間仕切１０の配置個数は３個以上としてもよい。
【００３３】
図６は、簡易間仕切１０を複数用いた別の使用例を示す斜視図である。本図では、図５の横長に配置した簡易間仕切１０ａ及び簡易間仕切１０ｂに加えて、縦長に配置した簡易間仕切１０ｃを追加している。開口２２〜２４を形成し、これらを出入りのための通用口としている。開口２５〜２８を形成し、隣接する部屋間を行き来できるようにしている。
【００３４】
図６の本体１ａ〜１ｃは、外周形状が長方形であり外形寸法は同一である。本体１ａ〜１ｃにおいて、長さＬは幅Ｗの約２倍である。このことにより、図６のように３個の簡易間仕切１０ａ〜１０ｃを配置した場合は、本体１ａの側壁３ｂと本体１ｃの側壁３ｃとをほぼ同一面上に配置でき、同様に本体１ｂの側壁３ａと本体１ｃの側壁３ｄとをほぼ同一面上に配置できる。このことにより、簡易間仕切１０ａ〜１０ｃを、図６に示したように、まとまりよく配置することができる。
【００３５】
また、長さＬを幅Ｗの約２倍としたことにより、隣接する簡易間仕切１０間において、長さＬの長辺側のミシン目５と、幅Ｗの短辺側のミシン目５とが重なり合うようにすることができる。図６において、開口２５の形成前の状態では、本体１ｃの長さＬの長辺側のミシン目５と、本体１ｂの幅Ｗの短辺側のミシン目５とが重なり合っている。同様に、開口２６の形成前の状態では、本体１ｃの長さＬの長辺側のミシン目５と、本体１ｂの幅Ｗの短辺側のミシン目５とが重なり合っている。
【００３６】
したがって、これらのミシン目５を切り離すことにより、配置方向の異なる本体１ｂと本体１ｃとの間の行き来を可能にする開口２５が得られる。同様に配置方向の異なる本体１ｂと本体１ｃとの間の行き来を可能にする開口２６が得られる。
【００３７】
すなわち、長さＬを幅Ｗの約２倍としたことにより、簡易間仕切１０ａ〜１０ｃを、まとまりよく配置した上で配置方向の異なる本体１ａと本体１ｃとの間、及び本体１ｂと本体１ｃとの間の行き来を可能にする開口も得られる。各部の寸法としては、幅Ｗを１０００ｍｍ、長さＬを２００８ｍｍ、高さＨを１８００ｍｍとし、ミシン目５については、幅を６００ｍｍとし高さを１４００ｍｍとしたものが挙げられる。この寸法例の簡易間仕切１０であれば、人が出入りできる開口を形成でき、現状の設備でも作成可能である。
【００３８】
前記実施の形態では、図１のように本体１の側壁３ａ〜３ｄのすべてにミシン目５を形成した例で説明したが、この例に限るものではない。少なくとも複数の側壁にミシン目５が形成されていれば、設置場所において選択できる使用態様を多くすることができる。
【００３９】
また、前記実施の形態では、ミシン目５の形状は図１では上部を曲線としており、図６では長方形としている。ミシン目５の形状は、これらに限るものではなく、人が出入りできる開口を形成できればよい。また、側壁３ａ〜３ｄに形成するミシン目の個数は、側壁３ａ〜３ｄに形成可能な範囲内で適宜変更してもよい。
【符号の説明】
【００４０】
１  本体
２  底板
３，３ａ，３ｂ，３ｃ，３ｄ  側壁
５  ミシン目
１０，１０ａ，１０ｂ，１０ｃ  簡易間仕切
１１，１４，１５，１６，２２〜２８  開口
【図１】
0005758180.tif 000002
【図２】
0005758180.tif 000003
【図３】
0005758180.tif 000004
【図４】
0005758180.tif 000005
【図５】
0005758180.tif 000006
【図６】
0005758180.tif 000007